(57)【要約】【課題】インデックス信号を付加した映像ラインをマウスポインタ等の重ね上書き等による情報破壊から防止する。【解決手段】インデッタス信号位置検出手段２がインデックス信号の位置座標データを取得し、マウスポインタ位置検出手段１がマウスポインタの座標データを取得する。そして、検出比較手段３が、マウスポインタ位置検出手段１で取得されたマウスポインタの座標データとインデッタス信号位置検出手段２で取得されたインデックス信号の座標データとを比較する。さらに、マウスポインタ制御手段４が、マウスポインタの座標データとインデックス信号の座標データとが重ならないようにマウスポインタ可動域制限手段５に対して制御を行う。これによって、マウスポインタ可動域制限手段５がマウスポインタの可動域を制限するので、マウスポインタによってインデックス信号が破壊されることはなくなる。【選択図】　　　　図１
2004126436.tif 000002
【特許請求の範囲】
【請求項１】
インデックス信号を用いて画像表示装置に所望の画像を表示させる画像信号発生装置において、
画像表示期間中のある位置に付加された画像表示装置番号に関する情報を含む前記インデックス信号が、マウスポインタの重畳によって情報破壊されないように保護するためのインデックス信号保護手段を備えることを特徴とする画像信号発生装置。
【請求項２】
前記インデックス信号保護手段は、
マウスポインタの座標位置を検出するマウスポインタ位置検出手段と、
インデックス信号の座標位置を検出するインデックス信号位置検出手段と、
前記マウスポインタ位置検出手段が検出したマウスポインタの座標位置と前記インデックス信号位置検出手段が検出したインデックス信号の座標位置とを比較する検出比較手段と、
検出比較手段の比較情報に基づいて、前記マウスポインタが前記インデックス信号に干渉しないように制限するマウスポインタ制限手段と
を備えることを特徴とする請求項１に記載の画像信号発生装置。
【請求項３】
さらに、前記検出比較手段の比較情報を前記マウスポインタの制御信号に変換して前記マウスポインタ制限手段へ供給するマウスポインタ制御手段を備えることを特徴とする請求項２に記載の画像信号発生装置。
【請求項４】
前記マウスポインタ制限手段は、
前記インデックス信号上にマウスポインタが入らないように制限するためのマウスポインタ可動域制限手段であることを特徽とする請求項２または請求項３に記載の画像信号発生装置。
【請求項５】
さらに、前記マウスポインタ位置検出手段は前記マウスポインタの色データを検出し、且つ前記インデックス信号位置検出手段は前記インデックス信号の色データを検出し、
前記検出比較手段は、前記マウスポインタ位置検出手段が検出したマウスポインタの座標位置及び色データと前記インデックス信号位置検出手段が検出したインデックス信号の座標位置及び色データとを比較する
ことを特徴とする請求項２または請求項３に記載の画像信号発生装置。
【請求項６】
前記マウスポインタ制限手段は、
前記インデックス信号上に前記マウスポインタが入った場合に、前記インデックス信号と重なった座標部分の前記マウスポインタの色を前記インデックス信号の色と同色に置き換えるマウスポインタ同色化手段であることを特徽とする請求項５に記載の画像信号発生装置。
【請求項７】
前記マウスポインタ制限手段は、
画像データを貯えるビデオメモリ領域において、出力画面用メモリプレーンに重なり合いの順番で表示データを書き込む際に、前記インデックス信号の表示を前記マウスポインタの上層表示領域に設定して該インデックス信号を保護するインデックス保護手段であることを特徽とする請求項２または請求項３に記載の画像信号発生装置。
【請求項８】
前記マウスポインタ制限手段は、
前記インデックス信号を画像表示領域の最上位ライン、または最下位ラインに置くとき、前記最上位ラインまたは前記最下位ラインには前記マウスポインタの描画を行わないようにして前記インデックス信号を保護するマウスポインタ透明化手段であることを特徽とする請求項２または請求項３に記載の画像信号発生装置。
【請求項９】
インデックス信号を用いて画像表示装置に所望の画像を表示させる画像信号発生装置の制御方法において、
前記インデックス信号の位置座標データを取得するステップと、
マウスポインタの位置座標データを取得するステップと、
前記インデックス信号の位置座標データと前記マウスポインタの位置座標データとに基づいて、マウスポインタの可動領域を制御するステップと
を含むことを特徴とする画像信号発生装置の制御方法。
【請求項１０】
インデックス信号を用いて画像表示装置に所望の画像を表示させる画像信号発生装置の制御方法において、
前記インデックス信号の位置座標データ及び色データを取得するステップと、
マウスポインタの位置座標データ及び色データを取得するステップと、
前記インデックス信号の領域に前記マウスポインタの座標が入っているとき、前記マウスポインタの色を前記インデックス信号の色と同色にするステップと
を含むことを特徴とする画像信号発生装置の制御方法。
【発明の詳細な説明】
【０００１】
【発明の属する技術分野】
本発明は、複数の画像表示装置に画像信号を表示させる画像信号発生装置に関するものであり、より詳しくは、パーソナルコンピュータ（ＰＣ）などで使われる所定のフォーマットを有する画像信号を表示する、液晶ディスプレイ（ＬＣＤ）、ＣＲＴ、プラズマディスプレイ（ＰＤＰ）、あるいはフィールド・エミッション・ディスプレイ（ＦＥＤ）、デジタル・マイクロミラー・デバイス（ＤＭＤ）などの画像表示装置を複数用いて画像信号を表示させる画像信号発生装置に関するものである。
【０００２】
【従来の技術】
従来の画像表示システムにおいては、画像信号発生装置から画像表示装置に対してインデックス信号の付加された複合化信号が送出され、画像表示装置に所望の画像が表示される。また、このような複合化信号の送出から画像の表示までの制御動作は、画像信号発生装置が出力する垂直同期信号を基準にして行なわれている。このような制御を行う画像表示システムは、例えば、特開２０００−３５２９６２号公報などに開示されている。
【０００３】
図１１は、画像信号発生装置と複数の画像表示装置からなる従来の画像表示システムの構成図である。つまり、この図はインデックス信号を扱った画像表示システムを概略的に表した概念図である。画像信号発生装置１０１には複数の画像表示装置１０２が通信ケーブル等によって電気的に接続され、各々の画像表示装置１０２はそれぞれ画像表示装置番号１〜ｎを有している。画像信号発生装置１０１は、各画像表示装置１０２の有する画像表示部に対して、実際に表示される正味の画像信号、この正味の画像信号に対応する同期信号、および正味の画像信号の一部を置き換えて付加されたインデックス信号を送出する。尚、以下の説明では、画像信号発生装置１０１から送出される画像信号、同期信号、及びインデックス信号を総称して複合化信号と云うことにする。
【０００４】
画像信号発生装置１０１から送出された複合化信号は、それぞれの画像表示装置１０２に並列的に与えられる。各画像表示装置１０２は、受信した複合化信号から、正味の画像信号、同期信号およびインデックス信号の各信号に分離する。そして、各画像表示装置１０２に設定されている画像表示装置番号１、２…ｎとインデックス信号とが適合した画像表示装置１０２は、受信した画像信号に基づいて、画像表示装置番号を有するフレームに含まれる正味の画像信号を自己の画像表示部に表示させる。
【０００５】
図１２は、図１１に示す画像信号発生装置の構成を示すブロック図であり、また、図１３は、図１１に示す画像表示装置の構成を示すブロック図である。つまり、図１２及び図１３は、１つの画像信号経路あるいは１つの画像信号発生手段を用いて任意の画素数（あるいはページ数）の画像信号を任意の画像表示装置に表示させる制御方法を説明するためのブロック図である。図１２において、画像信号発生装置１０１は、正味の画像信号を生成するための画像信号発生手段１０３と、画像表示装置１０２の選択情報を含むインデックス信号を生成し、正味の画像信号の一部をインデックス信号に置き換えて付加するためのインデックス付加手段１０４と、インデックス付加手段１０４からの出力信号を画像信号として出力するための増幅器等により構成される画像信号出力手段１０５と、画像信号出力手段１０５から画像信号を出力する画像信号出力端子１０６とによって構成されている。
【０００６】
図１３において、画像表示装置１０２は、画像信号入力端子１０７、画像信号受信手段１０８、インデックス判別手段１０９、画像表示装置番号設定手段１１０、インデックス判定手段１１１、フレーム選択手段１１２、画像記憶手段１１３、画像表示手段１１４、及びインデックス保持手段１１５によって構成されている。
画像信号受信手段１０８は、複数の画像フレームよりなる画像信号、この画像信号に対応する同期信号、および画像信号の任意の画像フレームに画像信号の一部を置き換えて付加されたインデックス信号を含む複合化信号を受信し、受信した複合化信号から画像信号、同期信号、及びインデックス信号を分離して出力する。インデックス判別手段１０９は、画像信号受信手段１０８から出力された画像信号よりインデックス信号を判別し、判別されたインデックス信号を出力する。インデックス保持手段１１５は、インデックス判別手段１０９から入力されたインデックスＩＤを次のインデックスＩＤが入力されるまで保持し、保持されたインデックスＩＤをインデックス判定手段１１１へ出力する。画像表示装置番号設定手段１１０は、自装置に対して設定された画像表示装置番号を出力する。インデックス判定手段１１１は、インデックス保持手段１１５から出力されたインデックスＩＤと画像表示装置番号設定手段１１０より出力された自装置の画像表示装置番号とに基づいて、画像信号に含まれる画像フレームを選択するためのフレーム選択信号を出力する。フレーム選択手段１１２は、インデックス判定手段１１１が出力したフレーム選択信号に応じて、画像信号に含まれる画像フレームを選択する。画像信号記憶手段１１３は、フレーム選択手段１１２から出力された画像フレームに対応する画像信号を記憶する。画像表示手段１１４は、画像信号記憶手段１１３から取得した画像フレームに対応する画像信号を表示する。
【０００７】
また、図１３において、Ｄｉは画像信号受信手段１０８が出力する画像信号、Ｄｓはフレーム選択手段１１２が出力する画像信号、Ｄｒは画像記憶手段１１３が出力する画像信号、Ｓｉは画像信号受信手段１０８が出力する同期信号、ＩＤはインデックス判別手段１０９が判別したインデックス、Ｎは画像表示装置番号設定手段１１０で設定された画像表示装置番号、ＦＳはインデックス判定手段１１１が出力するフレーム選択手段、ＩＤｈはインデックス保持手段で保持されたインデックスである。
【０００８】
次に、図１１〜図１３を用いて従来の画像表示システムの動作について説明する。図１２に示すように、画像信号発生装置１０１におけ画像信号発生手段１０３は、所定のフォーマット（例えば、解像度あるいはラインあたりの画素数、１フレームあたりのライン数、１秒あたりのフレーム数等）の正味の画像信号を発生し、この画像信号をインデックス付加手段１０４へ出力する。インデックス付加手段１０４では、表示装置選択情報を含むインデックス信号を画像表示期間中のある位置の画像信号の一部を置き換えて付加する。そして、インデックス信号を画像信号の一部に置き換えて付加した画像信号と、この画像信号に同期した垂直および水平同期信号とが、画像信号出力手段１０５から複合化信号として送出され、画像信号出力端子１０６から図１３に示す画像表示装置１０２へ出力される。
【０００９】
さらに、図１３において、図１２の画像信号出力端子１０６からの複合化信号は画像表示装置１０２の画像信号入力端子１０７へ入力される。そして、画像信号受信手段１０８が、入力された複合化信号に基づいて生成した画像信号Ｄｉと同期信号Ｓｉを出力すると、インデックス判別手段１０９、インデックス保持手段１１５、画像表示装置番号設定手段１１０、インデックス判定手段１１１、フレーム選択手段１１２、及び画像記憶手段１１３によって画像フレームの選択が行われる。そして、画像記憶手段１１３が、選択された画像フレームの画像信号Ｄｒを出力すると、画像表示手段１１４は、受信した画像信号Ｄｒに基づいて所望の画像の表示を行う。尚、このような画像フレームの選択・表示動作は、特開２０００−３５２９６２号公報などに報告されているので、その詳細な説明は省略する。
【００１０】
つまり、特開２０００−３５２９６２号公報などに開示されている画像表示システムは、図１２に示すように、画像信号を出力する画像信号発生装置１０１が、画像信号発生手段１０３とインデックス付加手段１０４とを備えている。そして、インデックス付加手段１０４が、画像表示装置１０２側における画像信号の選択的な表示を可能にするための、少なくとも画像表示装置１０２の選択情報を含むインデックス信号を生成している。さらに、インデックス付加手段１０４は、画像信号の一部を生成されたインデックス信号に置き換えて付加し、その画像信号を画像信号出力手段１０５へ送出している。これによって、画像信号発生装置１０１は、任意の画像表示装置１０２に対して任意の画像表示を行わせることができる。
【００１１】
【特許文献１】特開２０００−３５２９６２号公報（図１、段落００２８、００３０）
【００１２】
【発明が解決しようとする課題】
しかしながら、インデックス付加手段１０４において、画像表示装置１０２の画像表示装置番号に関する情報を含むインデックス信号が画像表示期間中のある位置に付加されることにより、このインデックス信号の上をマウスポインタ等が通過したために、インデックス信号が壊される虞がある。そのため、上記従来の画像信号発生装置の構成では、入カされたインデックス信号を次のインデックス信号が入カされる間まで保持するために、図１３に示すようなインデックス保持手段１１５を用意する必要がある。このため、画像表示装置１０２の構成が複雑になると共に、画像表示装置１０２へインデックス信号を含む画像信号を送出するための処理が複雑になるなどの不具合がある。
【００１３】
本発明は、このような事情に鑑みてなされたもので、その目的は、インデックス信号を付加した映像ラインをマウスポインタ等の重ね上書き等による情報破壊から防ぐためのインデックス信号保護手段を備えた画像信号発生装置を提供することにある。
【００１４】
【課題を解決するための手段】
上記の目的を達成するために本発明の画像信号発生装置は、インデックス信号を用いて画像表示装置に所望の画像を表示させる画像信号発生装置において、画像表示期間中のある位置に付加された画像表示装置番号に関する情報を含むインデックス信号が、マウスポインタの重畳によって情報破壊されないように保護するためのインデックス信号保護手段を備えることを特徴とする。つまり、本発明の画像信号発生装置によれば、インデックス信号保護手段の保護によりインデックス信号とマウスポインタのデータが重なっても相互に干渉しないので、インデックス信号が破壊されたり認識ができないという不具合は発生しない。
【００１５】
また、本発明の画像信号発生装置においては、前記インデックス信号保護手段は、マウスポインタの座標位置を検出するマウスポインタ位置検出手段と、インデックス信号の座標位置を検出するインデックス信号位置検出手段と、マウスポインタ位置検出手段が検出したマウスポインタの座標位置とインデックス信号位置検出手段が検出したインデックス信号の座標位置とを比較する検出比較手段と、検出比較手段の比較情報に基づいて、マウスポインタがインデックス信号に干渉しないように制限するマウスポインタ制限手段とを備えることを特徴とする。つまり、本発明の画像信号発生装置によれば、検出比較手段がマウスポインタの座標位置とインデックス信号の座標位置とを比較し、マウスポインタ制限手段がマウスポインタとインデックス信号とが相互に干渉しないようにしている。よって、マウスポインタによってインデックス信号が破壊される虞はない。
【００１６】
また、本発明の画像信号発生装置は、さらに、検出比較手段の比較情報をマウスポインタの制御信号に変換してマウスポインタ制限手段へ供給するマウスポインタ制御手段を備えることを特徴とする。つまり、本発明の画像信号発生装置によれば、マウスポインタ制御手段が、マウスポインタとインデックス信号の比較情報に基づいてマウスポインタの制御信号を生成し、この制御信号をマウスポインタ制限手段へ供給している。したがって、マウスポインタ制限手段は、マウスポインタ制御手段からの制御信号によって、インデックス信号がマウスポインタにより破壊されないようにすることができる。
【００１７】
また、本発明の画像信号発生装置においては、前記マウスポインタ制限手段は、インデックス信号上にマウスポインタが入らないように制限するためのマウスポインタ可動域制限手段であることを特徽とする。つまり、本発明の画像信号発生装置によれば、マウスポインタ可動域制限手段がマウスポインクの可動域の制限を行うことによって、インデックス信号を付加した画像信号ライン上をマウスポインタの画像信号が通過したり重畳したりすることができないようにしている。これにより、インデックス信号とマウスポインタのデータが重なってインデックス信号が破壊されたり、認識ができないという不具合を回避することができる。
【００１８】
また、本発明の画像信号発生装置は、さらに、マウスポインタ位置検出手段はマウスポインタの色データを検出し、且つインデックス信号位置検出手段はインデックス信号の色データを検出し、検出比較手段は、マウスポインタ位置検出手段が検出したマウスポインタの座標位置及び色データとインデックス信号位置検出手段が検出したインデックス信号の座標位置及び色データとを比較することを特徴とする。つまり、本発明の画像信号発生装置によれば、マウスポインタとインデックス信号の座標位置の比較だけではなく、マウスポインタとインデックス信号の色データの比較によってインデックス信号がマウスポインタによって破壊されることを防止することができる。
【００１９】
また、本発明の画像信号発生装置においては、前記マウスポインタ制限手段は、インデックス信号上にマウスポインタが入った場合に、インデックス信号と重なった座標部分のマウスポインタの色をインデックス信号の色と同色に置き換えるマウスポインタ同色化手段であることを特徽とする。つまり、本発明の画像信号発生装置によれば、マウスポインタがインデックス信号上に重畳した場合においても、マウスポインタ同色化手段がマウスポインタの色をインデックス信号と同色にすることにより、インデックス信号の破損や認識できないという不具合を回避することができる。
【００２０】
また、本発明の画像信号発生装置においては、前記マウスポインタ制限手段は、画像データを貯えるビデオメモリ領域において、出力画面用メモリプレーンに重なり合いの順番で表示データを書き込む際に、インデックス信号の表示をマウスポインタの上層表示領域に設定してインデックス信号を保護するインデックス保護手段であることを特徴とする。つまり、本発明の画像信号発生装置によれば、インデックス保護手段が、インデックス信号をマウスポインタの上層表示領域に設定してマウスポインタによる重畳を避けるようにしているので、インデックス信号を破壊から防ぐことができる。
【００２１】
また、本発明の画像信号発生装置においては、前記マウスポインタ制限手段は、インデックス信号を画像表示領域の最上位ライン、または最下位ラインに置くとき、最上位ラインまたは最下位ラインにはマウスポインタの描画を行わないようにしてインデックス信号を保護するマウスポインタ透明化手段であることを特徽とする。つまり、本発明の画像信号発生装置によれば、マウスポインタ透明化手段の作用によって、インデックス信号を付加した映像ラインをマウスポインタの重畳及び画像の重ね上書き等による情報破壊から防ぐことができる。
【００２２】
また、本発明における画像信号発生装置の制御方法においては、インデックス信号を用いて画像表示装置に所望の画像を表示させる画像信号発生装置の制御方法において、インデックス信号の位置座標データを取得するステップと、マウスポインタの位置座標データを取得するステップと、インデックス信号の位置座標データとマウスポインタの位置座標データとに基づいて、マウスポインタの可動領域を制御するステップとを含むことを特徴とする。
【００２３】
また、本発明における画像信号発生装置の制御方法においては、インデックス信号を用いて画像表示装置に所望の画像を表示させる画像信号発生装置の制御方法において、インデックス信号の位置座標データ及び色データを取得するステップと、マウスポインタの位置座標データ及び色データを取得するステップと、インデックス信号の領域にマウスポインタの座標が入っているとき、マウスポインタの色をインデックス信号の色と同色にするステップとを含むことを特徴とする。
【００２４】
【発明の実施の形態】
以下、図面を用いて、本発明における画像信号発生装置及びその制御方法の実施の形態について詳細に説明する。尚、以下の説明では、画像信号発生装置全体についての説明は省略し、マウスポインタの重ね上書きによるインデックス信号の情報破壊を防ぐためのインデックス信号保護装置について詳細に説明する。
【００２５】
第１の実施の形態
図１は、本発明の第１の実施の形態における画像信号発生装置に付加されたインデックス信号保護装置の構成を示すブロック図である。図１において、本発明の第１の実施の形態におけるインデックス信号保護装置（インデックス信号保護手段）１２ａは、マウスポインタの位置を検出するマウスポインタ位置検出手段１と、インデックス信号の位置を検出するインデックス信号位置検出手段２と、マウスポインタ位置検出手段が検出したマウスポインタの位置情報とインデックス信号位置検出手段が検出したインデックス信号の位置情報とを比較する検出比較手段３と、検出比較手段３の比較結果に基づいてマウスポインタの制御信号を出力するマウスポインタ制御手段４と、インデックス信号上にマウスポインタが入らないようにするマウスポインタ可動域制限手段５とを備えた構成となっている。
【００２６】
図５は、本発明の第１の実施の形態のインデックス信号保護装置によって制御された画像表示装置における画像表示領域の一例を示す図である。また、図６は、図５におけるマウスポインタの画像域の拡大図である。つまり、図６は、図１に示すマウスポインタ位置検出手段１がマウスポインタの画像領域の検出を行う際のマウスポインタ画像データの一例を示す図である。図５において、画像表示装置における画像表示領域１９は、例えば、解像度ＳＸＧＡにおいて１２８０×ｌＯ２４ドット（ｐｉｘｅｌ）である。
【００２７】
この画像表示領域１９に表示されるマウスポインタの画像領域１０は、図６のマウスポインタ画像データの一例に示すように、一般のパソコンなどで用いられる３２×３２ドット（ｐｉｘｅｌ）のマウスポインタの画像領域１０の中に含まれる。そして、Ａ点をマウスポインタの画像領域１０の一番左上の座標原点（０，０）とし、マウスポインタの画像領域１０は、マウスポインタの指し示すホットスポット９とマウスポインタの有効画像データ１１と画像なしエリア９’とによって構成されている。
【００２８】
次に、本発明におけるマウスポインタ位置検出手段１の詳細な動作について説明する。マウスポインタの指し示すホットスポット９の座標値は、３２×３２ドット（ｐｉｘｅｌ）で表わされるマウスポインタの画像領域１０内において任意に座標値の変更が可能であるため、常にマウスポインタの画像領域１０の左上座標Ａ点にあるとは限らず、マウスポインタの状態や形によっても変動するものである。
【００２９】
図５において、画像表示装置の画像表示領域１９上におけるマウスポインタのホットスポット９の座標を（Ｘ，Ｙ）とし、図６のマウスポインタの画像領域１０上でのホットスポット９の座標（Ａからの相対座標）を（ｄｘ，ｄｙ）とすると、画像表示領域１９上でのＡ点の座標は（Ｘ−ｄｘ，Ｙ−ｄｙ）で表わすことができる。この座標値点（Ｘ−ｄｘ，Ｙ−ｄｙ）からＸ、Ｙ方向にそれぞれ３２ドット分の座標値を取得することにより、画像表示領域１９上でのマウスポインタの画像領域１０の全座標地点を求めることができる。
【００３０】
図７は、図６に示すマウスポインタの画像領域におけるマウスポインタの判別条件を示す図である。つまり、マウスポインタの画像領域１０上でのマウスポインタの有効画像データ１１の相対座標値は、例えば、図７に示すように、有効画像のあるドット点を「１」、有効でない画像データのドット点を「０」とし、「１」のドット点の座標値のみを抽出することによって求めることができる。また、ある一つの有効画像点のＡ点からの相対座標値を（ａ，ｂ）とすると、画像表示領域全体での座標としては、ある一つの有効画像点の座標は（Ｘ−ｄｘ＋ａ，Ｙ−ｄｙ＋ｂ）で表わすことができる。
【００３１】
また、図１に示すインデックス信号位置検出手段２はインデックス信号の座標データを取得する。このとき、インデックス信号の座標データは、図６に示すマウスポインタの有効画像データ１１と同様に、位置を表す座標値の他にそれ自身の色情報（例えば、２５６階調表現においては０から２５５の階調値やＲ，Ｇ，Ｂの色データ等）も含んでいる。
【００３２】
さらに、検出比較手段３が、マウスポインタ位置検出手段１の検出したマウスポインタの座標データとインデックス信号位置検出手段２の検出したインデックス信号の座標データの比較を行う。そして、マウスポインタ制御手段４において、ホットスポット９の座標値とマウスポインタの有効画像データ１１の座標値がインデックス信号の座標値に重ならないように、マウスポインタ可動域制限手段５の設定を行う。
【００３３】
図８は、図１に示すマウス可動域制限手段が行うマウスポインタ可動域の制限処理の流れを示すフローチャートである。先ず、インデックス信号位置検出手段２がインデックス信号の位置座標データを取得し（ステップＳ１）、マウスポインタ位置検出手段１がマウスポインタの座標データを取得する（ステップＳ２）。そして、マウスポインタ制御手段４が、マウスポインタ位置検出手段１で取得されたマウスポインタの座標データとインデックス信号位置検出手段２で取得されたインデックス信号の座標データとが重ならないように、マウスポインタ可動域制限手段５に対して制御を行う。これによって、マウスポインタ可動域制限手段５はマウスポインタの可動域を制限する（ステップＳ３）。
【００３４】
ここで、図６に示すＡの座標値点（Ｘ−ｄｘ，Ｙ−ｄｙ）からＸ，Ｙ方向にそれぞれ３２ドット分の座標値を取得し、画像表示領域上でのマウスポインタの画像領域１０の全座標値点を求めることにより、マウスポインタの画像領域１０全体をインデックス信号の座標に重ならないようにマウスポインタ可動域制限手段５の設定を行うことも可能である。
【００３５】
以上説明したように、本発明の第１の実施の形態における画像信号発生装置のマウスポインタ可動域制限手段５によるマウスポインタの制御によれば、マウスポインタの可動域の制限を行うことによって、インデックス信号を付加した画像信号ライン上をマウスポインタ等の画像信号が通過したり重畳したりすることができないようにしている。これにより、インデックス信号とマウスポインタ等のデータが重なってインデックス信号が破壊されたり、認識ができないという不具合を回避することができる。
【００３６】
第２の実施の形態
次に、本発明の第２の実施の形態における画像信号発生装置について説明する。図２は、本発明の第２の実施の形態における画像信号発生装置に付加されたインデックス信号保護装置の構成を示すブロック図である。図２に示す第２の実施の形態のインデックス信号保護装置の構成が図１に示す第１の実施の形態の構成と異なる点は、マウスポインタ可動域制限手段の変わりに、マウスポインタの色をインデックス信号と同じ色に置き換えるマウスポインタ同色化手段６が用いられている点である。
【００３７】
図２において、本発明における第２の実施の形態によるインデックス信号保護装置（インデックス信号保護手段）１２ｂは、マウスポインタの位置と色データを検出するマウスポインタ位置検出手段１と、インデックス信号の位置と色データを検出するインデックス信号位置検出手段２と、マウスポインタ位置検出手段が検出したマウスポインタの位置情報及び色情報とインデックス信号位置検出手段が検出したインデックス信号の位置情報及び色情報とを比較する検出比較手段３と、検出比較手段３の比較結果に基づいてマウスポインタの制御信号を出力するマウスポインタ制御手段４と、インデックス信号上にマウスポインタが入った場合に、マウスポインタの色をインデックス信号と同じ色に置き換えるマウスポインタ同色化手段６とによって構成されている。
【００３８】
図２に示す第２の実施の形態においては、マウスポインタ位置検出手段１、インデックス信号位置検出手段２、検出比較手段３、及びマウスポインタ制御手段４は、それぞれ、前述の第１の実施の形態と同様の動作を行うが、マウスポインタ位置検出手段１及びインデックス信号位置検出手段２は色情報の検出も行う。第２の実施の形態では、マウスポインタ制御手段４は、マウスポインタ位置換出手段１で取得されたマウスポインタの座標データと、インデックス信号位置検出手段２で取得されたインデックス信号の座標データとが重なった場合において、マウスポインタ同色化手段６に対してマウスポインタの色をインデックス信号と同じ色に置き換えるような制御を行う。
【００３９】
図９は、図２に示すマウスポインタ同色化手段が行うマウスポインタ可動域の制限処理の流れを示すフローチャートである。図９において、先ず、インデックス信号位置検出手段２がインデックス信号の位置座標データと色データを取得し（ステップＳ１１）、マウスポインタ位置検出手段１がマウスポインタの座標データと色データを取得する（ステップＳ１２）。そして、検出比較手段３が、マウスポインタ位置検出手段１で取得された座標データおよび色データと、インデックス信号位置検出手段２で取得されたインデックス信号の座標データおよび色データとを比較し、インデックス信号の領域にマウスポインタの座標データが重なったか否かを判断し（ステップＳ１３）、もし、重なっている場合は（ステップＳ１３でＹｅｓの場合）、マウスポインタ制御手段４が、重なった座標位置のマウスポインタのホットスポット９および有効画像データ１１に対して、インデックス信号の色データと同じ色に変換するようにマウスポインタ同色化手段６の制御を行う。これにより、マウスポインタ同色化手段６はマウスポインタの色をインデックス信号の色と同じにする（ステップＳ１４）。
【００４０】
以上説明したように、本発明の第２の実施の形態における画像信号発生装置のマウスポインタ同色化手段によれば、マウスポインタがインデックス信号上に重畳した場合においても、マウスポインタの色をインデックス信号と同色にすることにより、インデックス信号の破損や認識できないという不具合を回避することができる。
【００４１】
第３の実施の形態
次に、本発明の第３の実施の形態における画像信号発生装置について説明する。図３は、本発明の第３の実施の形態における画像信号発生装置に付加されたインデックス信号保護装置の構成を示すブロック図である。図３に示す第３の実施の形態のインデックス信号保護装置の構成が図１に示す第１の実施の形態の構成と異なる点は、マウスポインタ可動域制限手段の変わりに、インデックス信号をマウスポインタの上層表示領域に設定してインデックス信号を保護するインデックス保護手段７が用いられているところである。
【００４２】
図３において、本発明における第３の実施の形態によるインデックス信号保護装置（インデックス信号保護手段）１２ｃは、マウスポインタの位置を検出するマウスポインタ位置検出手段１と、インデックス信号の位置を検出するインデックス信号位置検出手段２と、マウスポインタ位置検出手段が検出したマウスポインタの位置情報とインデックス信号位置検出手段が検出したインデックス信号の位置情報とを比較する検出比較手段３と、検出比較手段３の比較結果に基づいてマウスポインタの制御信号を出力するマウスポインタ制御手段４と、インデックス信号をマウスポインタの上層表示領域に設定してインデックス信号を保護するインデックス保護手段７とによって構成されている。
【００４３】
図３において、画像信号発生装置から画像表示装置に出力される画像データは、画像信号発生装置の中に属する画像データを貯えるビデオメモリの処理により、画像表示装置上に表示される領域（オンスクリーンサーフェイス）と、例えばウインドウの下に隠れているような表示されない領域（オフスクリーンサーフェイス）といったビデオメモリ領域に格納され、最終的に出力画像用メモリプレーンに書き込まれ、画像表示装置に出力される。
【００４４】
このとき、画面に表示する重なり合いの順番で画像表示装置の出力画面用メモリプレーンに書き込む際に、インデックス保護手段７は、インデックス信号をマウスポインタの上層表示領域、もしくはマウスポインタ画像をインデックス信号の下層表示領域に設定し、インデックス信号とマウスポインタの表示座標位置が重なっても、インデックス信号を表示させることによりインデックス信号を保護している。
【００４５】
以上説明したように、本発明の第３の実施の形態における画像信号発生装置のインデックス保護手段によれば、インデックス信号をマウスポインタの上層表示領域に設定し、マウスポインタによる重畳を避けることにより、第１の実施の形態及び第２の実施の形態と同じようにインデックス信号を破壊から防ぐことができる。
【００４６】
実施の形態４
次に、本発明の第４の実施の形態における画像信号発生装置について説明する。図４は、本発明の第４の実施の形態における画像信号発生装置に付加されたインデックス信号保護装置の構成を示すブロック図である。図４に示す第４の実施の形態のインデックス信号保護装置１２ｄの構成が図１に示す第１の実施の形態の構成と異なる点は、マウス可動域制限手段の変わりに、インデックス信号を画像表示領域の最上位（または最下位）ラインに置くとき、マウスポインタの最上位（最下位）ラインを透明にするマウスポインタ透明化手段８が付加されている点である。
【００４７】
図４において、本発明における第４の実施の形態によるインデックス信号保護装置（インデックス信号保護手段）１２ｄは、マウスポインタの位置を検出するマウスポインタ位置検出手段１と、インデックス信号の位置を検出するインデックス信号位置検出手段２と、マウスポインタ位置検出手段が検出したマウスポインタの位置情報とインデックス信号位置検出手段が検出したインデックス信号の位置情報とを比較する検出比較手段３と、検出比較手段３の比較結果に基づいてマウスポインタの制御信号を出力するマウスポインタ制御手段４と、インデックス信号を画像表示領域の最上位（または最下位）ラインに置くとき、マウスポインタの最上位（最下位）ラインを透明にするマウスポインタ透明化手段８とによって構成されている。
【００４８】
図１０は、本発明の第４の実施の形態において、マウスポインタ透明化手段８によって処理された画像表示領域の最上位画像表示ラインの一例を示す図である。図１０では最上位画像表示ラインにインデックス信号を置いた場合を示している。マウスポインタ透明化手段８は、インデックス信号を画像表示領域の最上位もしくは最下位に置く場合、最上位もしくは最下位の画像表示ライン上でのマウスポインタのホットスポット９及びマウスポインタの有効画像データ１１に対して透明化処理もしくはマウスポインタの描画を行わないようにする。ここでのマウスポインタの座標データおよび色データは、上記の各手段と同様にマウスポインタ位置検出手段１によって取得され、マウスポインタ透明化手段８によってマウスポインタ透明化の制御が行われる。
【００４９】
以上説明したように、本発明の第４の実施の形態における画像信号発生装置のマウスポインタ透明化手段８によれば、インデックス信号を付加した映像ラインをマウスポインタの重畳及び画像の重ね上書き等による情報破壊から防ぐことができる。また、画像表示領域の最上位もしくは最下位ラインのマウスポインタを透明にするマウスポインタ透明化手段８において、第１の実施の形態において示したマウスポインタ可動域制限手段５を用いてマウスポインタの可動域を最上位もしくは最下位に重ならないように制限してもよいことは明白である。
【００５０】
【発明の効果】
以上説明したように、本発明における画像信号発生装置のマウスポインタ可動域制限手段によるマウスポインタ制御によれば、マウスポインタの可動域の制限を行うことによって、インデックス信号を付加した画像信号ライン上をマウスポインタの画像信号が通過したり重畳したりすることができないようにしている。これにより、インデックス信号とマウスポインタのデータが重なってインデックス信号が破壊されたり、認識ができないという不具合を回避することができる。
【００５１】
さらに、画像信号発生装置のマウスポインタ同色化手段によるマウスポインタ制御によれば、マウスポインタがインデックス信号上に重畳した場合においても、マウスポインタの色をインデックス信号と同色にすることにより、インデックス信号の破損や認識できないという不具合を回避することができる。また、画像信号発生装置のインデックス保護手段によるマウスポインタ制御によれば、インデックス信号をマウスポインタの上層表示領域に設定し、マウスポインタによる重畳を避けることによりインデックス信号を破壊から防ぐことができる。また、画像信号発生装置のマウスポインタ透明化手段によるマウスポインタ制御によれば、インデックス信号を付加した映像ラインをマウスポインタの重畳及び画像の重ね上書き等による情報破壊から防ぐことができる。
【図面の簡単な説明】
【図１】本発明の第１の実施の形態における画像信号発生装置に付加されたインデックス信号保護装置の構成を示すブロック図である。
【図２】本発明の第２の実施の形態における画像信号発生装置に付加されたインデックス信号保護装置の構成を示すブロック図である。
【図３】本発明の第３の実施の形態における画像信号発生装置に付加されたインデックス信号保護装置の構成を示すブロック図である。
【図４】本発明の第４の実施の形態における画像信号発生装置に付加されたインデックス信号保護装置の構成を示すブロック図である。
【図５】本発明の第１の実施の形態のインデックス信号保護装置によって制御された画像表示装置における画像表示領域の一例を示す図である。
【図６】図５におけるマウスポインタの画像領域の拡大図である。
【図７】図６に示すマウスポインタの画像領域におけるマウスポインタの判別条件を示す図である。
【図８】図１に示すマウスポインタ可動域制限手段が行うマウスポインタ可動域の制限処理の流れを示すフローチャートである。
【図９】図２に示すマウスポインタ同色化手段が行うマウスポインタ可動域の制限処理の流れを示すフローチャートである。
【図１０】本発明の第４の実施の形態において、マウスポインタ透明化手段によって処理された画像表示領域の最上位画像表示ラインの一例を示す図である。
【図１１】画像信号発生装置と複数の画像表示装置からなる従来の画像表示システムの構成図である。
【図１２】図１１に示す画像信号発生装置の構成を示すブロック図である。
【図１３】図１１に示す画像表示装置の構成を示すブロック図である。
【符号の説明】
１…マウスポインタ位置検出手段、２…インデックス信号位置検出手段、３…検出比較手段、４…マウスポインタ制御手段、５…マウスポインタ可動域制限手段、６…マウスポインタ同色化手段、７…インデックス保護手段、８…マウスポインタ透明化手段、９…ホットスポット、９’…画像なしエリア、１０…マウスポインタの画像領域、１１…有効画像データ、１２ａ、１２ｂ、１２ｃ、１２ｄ…インデックス信号保護装置、１９…画像表示領域、１０１…画像信号発生装置、１０２…画像表示装置、１０３…画像信号発生手段、１０４インデックス付加手段、１０５…画像信号出力手段、１０６…画像信号出力端子、１０７…画像信号入力端子、１０８…画像信号受信手段、１０９…インデックス判別手段、１１０…画像表示装置番号設定手段、１１１…インデックス判定手段、１１２…フレーム選択手段、１１３…画像記憶手段、１１４…画像表示手段、１１５…インデックス保持手段
【図１】
2004126436.tif 000003
【図２】
2004126436.tif 000004
【図３】
2004126436.tif 000005
【図４】
2004126436.tif 000006
【図５】
2004126436.tif 000007
【図６】
2004126436.tif 000008
【図７】
2004126436.tif 000009
【図８】
2004126436.tif 000010
【図９】
2004126436.tif 000011
【図１０】
2004126436.tif 000012
【図１１】
2004126436.tif 000013
【図１２】
2004126436.tif 000014
【図１３】
2004126436.tif 000015